(57)【特許請求の範囲】
【請求項１】
複数の記録面が形成され得る光記録媒体であり、
ベース層と、その上に設けられた記録層とを有しており、
記録層は、その中に複数の記録面が形成され得、
ベース層は、トラックが形成されたガイド面と、ガイド面と異なる高さに形成された、記録層中に形成される記録面の間隔の基準値を与える少なくとも一つの基準面とを有している、光記録媒体。
【請求項２】
請求項１に記載の光記録媒体に対して情報の記録再生を行なう記録再生装置であり、
ガイド用スポットを形成する第一の光学系と、
記録再生用スポットを形成する第二の光学系と、
ガイド用スポットをガイド面に保持する手段と、
ガイド用スポットに対して記録再生用スポットの高さを変更する手段と、
ガイド面に位置する記録再生用スポットと基準面に位置する記録再生用スポットの高さの違いから、ガイド面に対する基準面の高さを取得し、これに基づいて記録面の間隔の基準値を得る手段とを有しており、
得られた基準値に基づいて記録再生用スポットをガイド用スポットに対して基準値の整数倍の所望の高さに配置し、ガイド用スポットをガイド面に保持したまま、記録再生用スポットにより記録再生を行なう、記録再生装置。
【請求項３】
請求項１に記載の光記録媒体に対する情報の記録再生方法であり、
ガイド用スポットと記録再生用スポットをガイド面に配置する工程と、
記録再生用スポットを基準面に配置する工程と、
記録再生用スポットの高さ変更に基づいて、ガイド面に対する基準面の高さを取得し、これに基づいて記録面の間隔の基準値を得る工程と、
得られた基準値に基づいて、記録再生用スポットをガイド面から基準値の整数倍の所望の高さに配置する工程と、
ガイド用スポットをガイド面に保持したまま、記録再生用スポットにより記録再生を行なう工程とを有している、記録再生方法。
【発明の詳細な説明】
【０００１】
【発明の属する技術分野】
本発明は、光記録媒体に対する情報の記録再生、特に複数の記録面とガイド部を有する光記録媒体に対する情報の記録再生に関する。
【０００２】
【従来の技術】
光磁気ディスクドライブ、追記型ディスクドライブ、相変化型ディスクドライブ、ＣＤ−ＲＯＭ、ＤＶＤ、光カード等の光記録媒体に対する情報の記録再生において、一つの記録層中に複数の記録面を形成し、その各々に対して情報の記録再生を行なうことが従来より提案されている。本明細書において使用する「記録再生」という用語は、情報を記録または再生またはその両方を行なうことを意味する。つまり、情報の記録と再生のいずれかを一時に行なうことを指す。
【０００３】
特開平４−３０１２２６号は、複数の記録面が形成され得る光記録媒体と、このような光記録媒体に対して情報の記録再生を行なう記録再生装置を開示している。
【０００４】
その光記録媒体は、トラックが形成されたガイド面と、複数の記録面を形成できる厚さを持つ単一の記録層とを有しいる。また、記録再生装置は、記録面に対して情報の記録再生を行なう記録再生スポットを形成する記録再生用光学系と、ガイド面のトラックを追従するにガイドスポットを形成するガイド用光学系とを有している。
【０００５】
記録層の厚さ方向における、ガイドスポットに対する記録再生スポットの位置は、記録面の光軸方向の位置に対応する複数の離散的な信号を出力する調整部材によって制御される光軸方向変移器により決められている。
【０００６】
【発明が解決しようとする課題】
このような記録再生装置においては、記録面自体に光軸方向やトラッキング方向にガイドとなる反射面やトラックが無いため、記録再生スポットの位置は、ガイド面のトラックに配置されたガイドスポットに対して相対的に正確に制御される必要がある。
【０００７】
前述したように、記録再生スポットの記録層の厚さ方向の位置は、複数の離散的な信号を出力する調整部材によって制御される光軸方向変移器により決められている。このため、温度変化や経時変化等により、調整部材から出力される複数の離散的な信号が変動したり、光軸方向偏移器の出力感度が変化したり、記録再生用光学系とガイド用光学系の光路長が相対的に変化したりした場合、ガイドスポットに対する記録再生スポットの光軸方向の位置は一定値からずれてしまう。
【０００８】
このため、例えば、記録時に上述した記録再生スポットの光軸方向のずれが生じると、記録の状態が変化し、部分的に光軸方向にずれた記録面が形成されてしまう。このような記録面を再生する場合、たとえ記録面の焦点で焦点制御をおこなっても、ずれた部分では焦点誤差やトラッキング誤差が大きくなり、正しく再生できない。
【０００９】
本発明は、このような問題を解決するために成されたものであり、その目的は、光記録媒体の一つの記録層中に形成され得る複数の記録面に対して、安定した情報の記録再生を行なう技術を提供することである。より具体的には、このような安定した情報の記録再生を可能にするための、光記録媒体と記録再生装置と記録再生方法を提供することである。
【００１０】
【課題を解決するための手段】
本発明は、一面においては、複数の記録面が形成され得る光記録媒体であり、ベース層と、その上に設けられた記録層とを有しており、記録層は、その中に複数の記録面が形成され得、ベース層は、トラックが形成されたガイド面と、ガイド面と異なる高さに形成された、記録層中に形成される記録面の間隔の基準値を与える少なくとも一つの基準面とを有している。
【００１１】
本発明は、別の一面においては、前述の光記録媒体に対して情報の記録再生を行なう記録再生装置であり、ガイド用スポットを形成する第一の光学系と、記録再生用スポットを形成する第二の光学系と、ガイド用スポットをガイド面に保持する手段と、ガイド用スポットに対して記録再生用スポットの高さを変更する手段と、ガイド面に位置する記録再生用スポットと基準面に位置する記録再生用スポットの高さの違いから、ガイド面に対する基準面の高さを取得し、これに基づいて記録面の間隔の基準値を得る手段とを有しており、得られた基準値に基づいて記録再生用スポットをガイド用スポットに対して基準値の整数倍の所望の高さに配置し、ガイド用スポットをガイド面に保持したまま、記録再生用スポットにより記録再生を行なう。
【００１２】
本発明は、さらに別の一面においては、前述の光記録媒体に対する情報の記録再生方法であり、ガイド用スポットと記録再生用スポットをガイド面に配置する工程と、記録再生用スポットを基準面に配置する工程と、記録再生用スポットの高さ変更に基づいて、ガイド面に対する基準面の高さを取得し、これに基づいて記録面の間隔の基準値を得る工程と、得られた基準値に基づいて、記録再生用スポットをガイド面から基準値の整数倍の所望の高さに配置する工程と、ガイド用スポットをガイド面に保持したまま、記録再生用スポットにより記録再生を行なう工程とを有している。
【００１３】
【発明の実施の形態】
以下、図面を参照しながら本発明の実施の形態について説明する。
【００１４】
［第１実施形態］
図１に示されるように、記録再生用のＬＤ１１から射出された光は、紙面に垂直な直線偏光で、コリメートレンズ１２によって平行化される。コリメートレンズ１２は支持駆動手段１３によって光軸に沿って適宜移動され、その光軸方向の位置はセンサー１４によって検出される。支持駆動手段１３は、例えば、コリメートレンズ１２を光軸方向に移動可能に支持する２枚の平行バネと、コイルとマグネットを含む駆動装置とで構成される。
【００１５】
コリメートレンズ１２により平行化された光は、ビームスプリッター(ハーフミラー)１５に入射し、その一部はこれを透過し、残りはこれにより反射される。ビームスプリッター１５を透過した光は、集光レンズ１６で集光され、モニターＰＤ１７に入射する。このモニターＰＤ１７は、ＬＤ１１の射出光量の測定に利用される。
【００１６】
また、ビームスプリッター１５で反射された光は、ＰＢＳ１８によって反射され、ミラー１９に向かう。続いて、図２に示されるように、ミラー１９で反射され、対物レンズ２０によって集光され、ディスク１の記録層３中にスポットＰ１を形成する。
【００１７】
スポットＰ１からの反射光は、入射時の光路を逆行してビームスプリッタ１５に至り、図１に示されるように、これを透過した光はトーリックレンズ(凸レンズ＋シリンドリカルレンズ)２１によって、非点収差を持つ収束光に変えられ、ＰＤ２２に入射する。ＰＤ２２は、四分割された受光面を持ち、非点収差法に基づき、記録再生用スポットＰ１に関するフォーカスエラー信号と記録再生信号の検出に利用される。
【００１８】
一方、図２に示されるように、ガイド用のＬＤ３０から射出された光は、紙面に平行な直線偏光で、ホログラム３１を透過し、コリメートレンズ３２で平行化され、ＰＢＳ１８を透過し、反射ミラー１９で反射され、対物対物レンズ２０によって集光され、ディスク１のガイド面５にスポットＰ２を形成する。
【００１９】
ガイド用の光学系の光軸３３は、記録再生用の光学系の光軸３４に対して、傾きθを有している。このため、ガイド用スポットＰ２は、記録再生用スポットＰ１に対して、トラッキング方向(記録トラックと垂直方向)に所定距離ａだけ離れた位置に形成される。この距離ａは５μｍ〜１００μｍの値が選ばれる。
【００２０】
スポットＰ２からの反射光は、図１に示されるように、入射時の光路を逆行してホログラム３１によって回折される。その±１次光は、それぞれ、六分割された受光面を持つＰＤ３５ａ,３５ｂに入射する。±１次光は共に収束光であり、一方の焦点はＰＤ３５ａの手前に位置し、他方の焦点はＰＤ３５ｂの奥に位置している。ＰＤ３５ａ,３５ｂは、ガイド用の焦点Ｐ２に関する、いわゆるビームサイズ方法によるフォーカスエラー信号の検出や、プッシュプル方法によるトラッキングエラー信号や再生信号(トラック番号)の検出に利用される。
【００２１】
図２に示されるように、記録再生装置は対物レンズ２０を移動させるための支持駆動手段４０を有しており、対物レンズ２０は、支持駆動手段４０によって、フォーカス方向とトラッキング方向の二方向に適宜移動される。
【００２２】
これまでの説明から分かるように、記録再生用のＬＤ１１からの光とガイド用のＬＤ３０からの光は、偏光方向が直交しており、ＰＢＳ１８によって合成分離されるので、ＰＤ２２に入射するＬＤ３０からの光とＰＤ３５ａ,３５ｂに入射するＬＤ１１からの光は共に微少である。
【００２３】
また、ガイド用の光学系の光軸３３が記録再生用の光学系の光軸３４に対して傾いているため、ＬＤ１１からの光とＬＤ３０からの光は図１の紙面に垂直方向に分離され、ＬＤ１１からの光はＰＤ３５ａ,３５ｂの受光面に入射せず、その反対に、ＬＤ３０からの光はＰＤ２２の受光面に入射しない。その結果、ＰＤ間のクロストークやノイズの少ない良好な信号が得られる。
【００２４】
図３に示されるように、ディスク１は、ベース層２と、その上に積層される記録層３とを有している。ベース層２は、ガイド面５と、三つの基準面７ａ,７ｂ,７ｃとを有している。ガイド面５は、高い反射率を持つトラック６を有している。
【００２５】
三つの基準面７ａ,７ｂ,７ｃは、ディスク１の内周側に位置し、それぞれ、ガイド面５から間隔ｄで位置している。つまり、基準面７ａ,７ｂ,７ｃは、それぞれ、ガイド面５からｄ,２ｄ,３ｄの高さに位置している。間隔ｄは、好ましくは２〜５０μｍであり、より好ましくは５〜１５μｍである。
【００２６】
記録層３の中には、ガイド面５から間隔を置いて、少なくとも一つの記録面が形成される。例えば、三つの記録面４ａ,４ｂ,４ｃが、それぞれ、基準面７ａ,７ｂ,７ｃと同じ高さに形成される。
【００２７】
以下、記録面４ａに対する記録再生動作について述べる。まず、ＰＤ３５ａ,３５ｂに基づいて得られるフォーカスエラー信号に従って、支持駆動手段４０により対物レンズ２０を移動し、スポットＰ２をガイド面５のトラック６上に配置する。続いて、ＰＤ２２に基づいて得られるフォーカスエラー信号に従って、支持駆動手段１３によりコリメートレンズ１２を移動し、スポットＰ１をガイド面５上に配置する。
【００２８】
次に、ＰＤ３５ａ,３５ｂの出力に基づいてスポットＰ２が位置するトラック６のトラック番号を読み取り、読み取ったトラック番号に従って対物レンズ２０を内周側に移動させ、対物レンズ２０を、想像線で描かれるように、記録再生用の光学系の光軸が基準面７ａを横切り、しかもガイド用の光学系のスポットＰ２がトラック６をとらえる位置に配置する。
【００２９】
続いて、ＰＤ２２に基づいて得られるフォーカスエラー信号が０となるように、コリメートレンズ１２を移動させ、記録再生用スポットＰ１を基準面７ａに配置する。これ以降、センサー１４の出力を一定に保つように、支持駆動手段１３によりコリメートレンズ１２の位置を制御する。この制御により、スポットＰ１に対するスポットＰ２のフォーカス方向の位置が一定に維持される。
【００３０】
コリメートレンズ１２の位置制御は、支持駆動手段１３のコイルを流れる駆動電流を一定に保つようにして行なってもよいが、このような制御は、センサー１４に基づく制御に比べて、外部振動等の影響を受け易く、スポットＰ１に対するスポットＰ２のフォーカス方向の位置精度は低い。
【００３１】
その後、対物レンズ２０をトラッキング方向に移動させ、スポットＰ２を所望のトラック６に配置する。このように、ガイド用の光学系のスポットＰ２をガイド面５のトラック６を基準にトラッキング方向の位置制御を行なうことにより、間接的に記録再生用の光学系のスポットＰ１がトラッキング方向に位置制御される。
【００３２】
対物レンズ２０は、ＰＤ３５ａ,３５ｂに基づいて得られるフォーカスエラー信号に従ってフォーカス方向に位置制御され、これによりスポットＰ２はガイド面５のトラック６に対するフォーカスが維持される。言い換えれば、ガイド用スポットＰ２は常にガイド面５上に維持される。
【００３３】
前述したように、コリメートレンズ１２はセンサー１４の出力を一定に保つように位置制御されるため、スポットＰ１に対するスポットＰ２のフォーカス方向の位置が一定すなわち間隔ｄに保たれる。従って、スポットＰ２はガイド面５から一定の間隔ｄだけ離れた面上に常に位置する。
【００３４】
これは、記録時には、ガイド面５から正確に間隔ｄだけ離れた記録面４ａを形成することを意味し、再生時には、スポットＰ１が常に正しく記録面４ａ上に位置することを意味する。従って、安定した記録再生が行なえる。
【００３５】
記録面４ｂに対する記録再生も同様に行なえる。つまり、最初に、記録再生用の光学系の光軸３４が基準面７ｂを横切り、しかもガイド用の光学系のスポットＰ２がガイド面５のトラック６をとらえる位置に、対物レンズ２０を配置する。続いて、スポットＰ１を基準面７ｂに合わせた後、センサー１４の出力を一定に保つことにより、スポットＰ２に対するスポットＰ１のフォーカス方向の位置を保持する。その後は、ガイド面５のトラック６に対してスポットＰ２をフォーカス方向に制御する。その結果、スポットＰ１は、ガイド面５から一定の間隔ｄだけ離れた記録面４ｂ上に維持される。記録面４ｃに対する記録再生についても同様である。
【００３６】
これまでの説明から分かるように、ＬＤ１１とＬＤ３０の波長の変動や、支持駆動手段１３の駆動電流感度の変化や、センサー１４のオフセットなど、従来ではスポットＰ１とスポットＰ２のフォーカス方向の相対位置がずれてしまう種々の要因に対しても、スポットＰ１とスポットＰ２の相対位置を正確に安定して保持できる。
【００３７】
本実施形態では、記録面の数は３としたが、１以上であればいくつでもよい。また、エラー検出の方式は他の方式であってもよい。
【００３８】
［変形例］
以下、ディスク１の変形例について述べる。以下の説明とそれに関連する図面において、既述の部材と同等の部材は、同じ参照符号で示し、その詳しい説明は省略する。
【００３９】
図４(ａ)に示される第一の変形例によるディスク１は、ただ一つの基準面７を有している。ガイド面５に対する基準面７の高さは、記録面４ａ,４ｂ,４ｃの間隔ｄに等しい。
【００４０】
最初に、スポットＰ１とスポットＰ２を共にガイド面５に配置する。続いて、スポットＰ２をガイド面５に配置し、スポットＰ１を基準面７に配置する。スポットＰ１がガイド面５に位置するときと基準面７に位置するときのセンサー１４の出力差を記憶しておく。
【００４１】
記録面４ａに対する記録再生は、コリメートレンズ１２を制御するセンサー１４の目標値を、スポットＰ１が基準面７に位置するときのセンサー１４の出力に等しい値に設定する。
【００４２】
記録面４ｂに対する記録再生では、コリメートレンズ１２を制御するセンサー１４の目標値を、記録面４ａの記録再生における目標値に、前述の出力差を加算した値に設定する。
【００４３】
記録面４ｃに対する記録再生では、コリメートレンズ１２を制御するセンサー１４の目標値を、記録面４ａの記録再生における目標値に、前述の出力差の二倍を加算した値に設定する。
【００４４】
本変形例では、基準面が一つだけなので、ガイド面５と基準面の間の最大段差を小さいため、基準面の形成が容易である。
【００４５】
図４(ｂ)に示される第二の変形例によるディスク１は、ただ一つの基準面７を有している。ガイド面５に対する基準面７の高さは、記録面４ａ,４ｂ,４ｃの間隔ｄの半分つまりｄ/２に等しい。
【００４６】
最初に、スポットＰ１とスポットＰ２を共にガイド面５に配置する。続いて、スポットＰ２をガイド面５に配置し、スポットＰ１を基準面７に配置する。スポットＰ１がガイド面５に位置するときと基準面７に位置するときのセンサー１４の出力差を記憶しておく。
【００４７】
記録面４ａに対する記録再生は、コリメートレンズ１２を制御するセンサー１４の目標値を、前述の出力差の二倍の値に設定する。
【００４８】
記録面４ｂに対する記録再生では、コリメートレンズ１２を制御するセンサー１４の目標値を、記録面４ａの記録再生における目標値に、前述の出力差の二倍を加算した値に設定する。
【００４９】
記録面４ｃに対する記録再生では、コリメートレンズ１２を制御するセンサー１４の目標値を、記録面４ａの記録再生における目標値に、前述の出力差の四倍を加算した値に設定する。
【００５０】
本変形例では、基準面が一つだけであり、ガイド面５と基準面の間の最大段差が第一変形例よりも更に小さいため、基準面の形成が更に容易である。
【００５１】
図４(ｃ)に示される第三の変形例によるディスク１は、ただ一つの基準面７を有している。ガイド面５に対する基準面７の高さは、記録面４ａ,４ｂ,４ｃの間隔ｄの三倍つまり３ｄに等しい。
【００５２】
最初に、スポットＰ１とスポットＰ２を共にガイド面５に配置する。続いて、スポットＰ２をガイド面５に配置し、スポットＰ１を基準面７に配置する。スポットＰ１がガイド面５に位置するときと基準面７に位置するときのセンサー１４の出力差を記憶しておく。
【００５３】
記録面４ａに対する記録再生は、コリメートレンズ１２を制御するセンサー１４の目標値を、前述の出力差の三分の一の値に設定する。
【００５４】
記録面４ｂに対する記録再生では、コリメートレンズ１２を制御するセンサー１４の目標値を、前述の出力差の三分の二の値に設定する。
【００５５】
記録面４ｃに対する記録再生では、コリメートレンズ１２を制御するセンサー１４の目標値を、前述の出力差に等しい値に設定する。
【００５６】
図４(ｄ)に示される第四の変形例によるディスク１は、二つの基準面７ａ,７ｂを有している。ガイド面５に対する基準面７ａの高さは、ｄ0であり、基準面７ａに対する基準面７ｂの高さは、記録面４ａ,４ｂ,４ｃの間隔ｄの二倍つまり２ｄに等しい。ｄ0>ｄであり、例えば、ｄ0＝５０μｍ、ｄ＝１０μｍである。
【００５７】
最初に、スポットＰ１とスポットＰ２を共にガイド面５に配置する。続いて、スポットＰ２をガイド面５に配置し、スポットＰ１を基準面７ａに配置する。
【００５８】
記録面４ａに対する記録再生では、コリメートレンズ１２を制御するセンサー１４の目標値を、スポットＰ１が基準面７ａに位置するときのセンサー１４の出力に等しい値に設定する。
【００５９】
記録面４ｂ,４ｃに対する記録再生においては、さらに、スポットＰ１を基準面７ｂに配置し、スポットＰ１が基準面７ａに位置するときと基準面７ｂに位置するときのセンサー１４の出力差を記憶しておく。
【００６０】
記録面４ｂに対する記録再生では、コリメートレンズ１２を制御するセンサー１４の目標値を、記録面４ａの記録再生における目標値に、前述の出力差の半分を加算した値に設定する。
【００６１】
記録面４ｃに対する記録再生では、コリメートレンズ１２を制御するセンサー１４の目標値を、記録面４ａの記録再生における目標値に、前述の出力差を加算した値に設定する。
【００６２】
図５(ａ)に示される第五の変形例によるディスク１は、内周側に位置する基準面７ａと外周側に位置する基準面７ｂとを有している。ガイド面５に対する基準面７ａと基準面７ｂの高さは共に、記録面４ａ,４ｂ,４ｃの間隔ｄに等しい。
【００６３】
このディスク１に対する記録再生は、前述した第一変形例を全く同様に行なわれる。
【００６４】
本変形例では、ディスク１の内周側と外周側の二カ所に基準面を有しているので、短時間での基準面へのアクセスを可能にする。
【００６５】
図５(ｂ)と図５(ｃ)に示される第六の変形例によるディスク１は、その内周側に、トラック方向に沿って並んだ三つ基準面７ａ,７ｂ,７ｃを有している。ガイド面５に対する基準面７ａ,７ｂ,７ｃの高さは、記録面４ａ,４ｂ,４ｃの間隔をｄとして、それぞれ、ｄ,２ｄ,３ｄである。
【００６６】
記録面４ａ,４ｂ,４ｃに対する記録再生は、上述した実施形態と同様に行なわれる。
【００６７】
より好ましいディスクは、同様の基準面７ａ,７ｂ,７ｃをディスク１の外周側にも備えている。これは、前述したように、短時間でのアクセスを可能にする。
【００６８】
本変形例では、三つの基準面７ａ,７ｂ,７ｃを持つが、これらがトラッキング方向に広い面積を専有しないので、広い幅の記録トラックの形成を可能にする。また、スポットＰ１とスポットＰ２の間隔の低減を可能にする。
【００６９】
［第二実施形態］
以下、第二実施形態の記録再生装置について述べる。本実施形態の記録再生装置の構成は、ほとんど第一実施形態と同じであり、一部の光学要素の機能が若干異なっているだけである。
【００７０】
具体的には、本実施形態では、図１において、支持駆動手段１３は、コリメートレンズ１２を光軸方向だけでなく、これに直交する方向にも移動し得る。また、これに応じて、センサー１４は、コリメートレンズ１２の光軸方向とその直交方向の位置を検出し得る。
【００７１】
また、トーリックレンズ２１の換わりにホログラムを用い、ビームサイズ方式によりフォーカスエラーを検出し、プッシュプル方式によりトラッキングエラーを検出する。
【００７２】
このように、本実施形態は、第一実施形態と比較して、コリメートレンズ用の支持駆動手段とセンサーが機能の面で異なっているだけなので、本実施形態の記録再生装置の構成の図示は省略する。
【００７３】
ディスク１は、図６に示されるように、ベース層２と記録層３を有しており、記録層３には、七つの記録面４ａ〜４ｇが一定の等しい間隔ｄを置いて形成され得る。ベース層２は、ガイド面５と基準面７と面８を有している。ガイド面５は、一定の間隔ｅを置いて並んでいる二本のトラック６ａ,６ｂを有している。基準面７は、ガイド面５に対して３ｄの高さを有している。
【００７４】
面８は、記録面４ａ〜４ｇが形成される領域に位置し、ガイド面５と同様に高い反射率を有している。記録面４ｇは、基準面７と同じ高さに形成され、記録面４ａは、面８からの反射光が十分に小さくなるように、面８から比較的離れた位置に形成される。
【００７５】
まず、記録再生用スポットＰ１とガイド用スポットＰ２を共にガイド面５の一本のトラック６ａに固定し、センサー１４のフォーカス方向とトラック方向の出力をリセットする。
【００７６】
次に、コリメートレンズ１２をトラック方向に移動させ、スポットＰ１のみをトラック６ｂに位置させる(Ｐ１'で表記される)。この位置におけるセンサー１４の出力に基づいて、スポットＰ１とスポットＰ２のトラッキング方向の基準値すなわちトラック間隔ｅを得る。
【００７７】
続いて、スポットＰ２をガイド面５のトラック６ａに固定したまま、コリメートレンズ１２をトラック方向と光軸方向に移動させ、スポットＰ１を基準面７に位置させる(Ｐ１''で表記される)。この位置におけるセンサー１４の出力に基づいて、スポットＰ１とスポットＰ２のフォーカス方向の基準値ｄを得る。
【００７８】
本実施形態では、記録再生は、ガイド用スポットＰ２をガイド面５のトラック６ａに保持したまま、記録再生用スポットＰ１をスポットＰ２に対してフォーカス方向とトラッキング方向の二方向に所定間隔毎に移動させて行なわれる。
【００７９】
具体的には、スポットＰ１は、フォーカス方向に関しては、ガイド面５から手前または奥に基準値ｄの所望の整数倍だけ移動され、トラック方向に関しては、トラック６ａから外側に基準値ｅの所望の整数倍だけ移動されて、スポットＰ２に対する位置が決められる。このスポットＰ２に対する相対位置を維持しながら、記録再生が行なわれる。
【００８０】
これまで、いくつかの実施の形態について図面を参照しながら具体的に説明したが、本発明は、上述した実施の形態に限定されるものではなく、その要旨を逸脱しない範囲で行なわれるすべての実施を含む。
【００８１】
本明細書は以下に列記する発明を含んでいる。
【００８２】
１.少なくとも１つの記録部およびガイド部を有する光記録媒体に光学的に情報を記録及び/または再生するための光記録装置であり、前記記録部に光を照射し情報の記録及び/または再生する第１の光と、前記ガイド部に光を照射する第２の光とを有し、前記第２の光をガイド部に照射し、前記第２の光に対する前記第１の光の相対位置を制御することにより前記第１の光を前記記録部に位置させる記録装置において、前記記録部の一つは前記ガイド部に対して第１の方向に第１の間隔を有し、前記光記録媒体は第２の間隔を有する基準部を有し、前記基準部に前記第１の光を照射し、第１の間隔の基準信号を得る事を特徴とする光記録再生装置の記録及び/又は再生方法。
【００８３】
２.第１項において、前記第１の方向はフォーカス方向であることを特徴とする。
【００８４】
３.第１項において、前記基準部は前記記録媒体の内周側に配置されている。
【００８５】
４.第１項において、前記基準部は前記記録媒体の外周側に配置されている。
【００８６】
５.第１項において、前記第１の間隔は、前記第２の間隔と同じである。
【００８７】
６.第１項において、前記記録部は少なくとも２つある。
【００８８】
７.第６項において、隣り合う２つの記録部の間隔は前記第２の間隔と同じである。
【００８９】
８.第１項において、前記基準部は複数ある。
【００９０】
９.第１項において、前記第２の間隔は複数ある。
【００９１】
１０.第１項において、前記記録部に前記第１の光のスポットを照射したときに、前記第１の光のスポットと前記記録部の前記第１の方向のずれの検出を前記第１の光によりおこなわない。
【００９２】
１１.第１項において、前記記録部の数と同じ数の前記基準部を有する。
【００９３】
１２.第１項において、前記記録部の数と同じ数の前記基準部を有する。
【００９４】
１３.第６項において、前記ガイド部から最もはなれた記録部と前記ガイド部の間隔を前記第２の間隔は有する。
【００９５】
１４.少なくとも１つの記録部およびガイド部を有する光記録媒体に光学的に情報を記録及び/または再生するための光記録装置であり、前記記録部に光を照射し情報の記録及び/または再生する第１の光と、前記ガイド部に光を照射する第２の光とを有し、前記第２の光をガイド部に照射し、前記第２の光に対する前記第１の光の相対位置を制御することにより前記第１の光を前記記録部に位置させる記録装置において、前記記録媒体には、前記相対位置に関する所定の間隔を有する基準部を有することを特徴とする光記録再生装置。
【００９６】
１５.第１４項において、前記基準部に光を照射する手段を有する。
【００９７】
１６.少なくとも１つの記録部およびガイド部を有する光記録媒体において、記録部とガイド部は第１の方向に第１の間隔離間すると共に、前記第１の方向に第２の間隔を有する基準部を有することを特徴とする光記録媒体。
【００９８】
【発明の効果】
本発明によれば、記録再生用スポットは、基準面に基づいて得られる基準値に従って、ガイド面から一定の高さに安定に配置されので、安定した情報の記録再生を行なえるようになる。
【図面の簡単な説明】
【図１】本発明の第一実施形態における記録再生装置の光学系を示している。
【図２】別の角度から見た図１の記録再生装置の光学系を示しており、同図にはガイド用光学系の光軸の傾斜は誇張して描かれている。
【図３】図２に示される光ディスクの断面と対物レンズを拡大して示している。
【図４】  (ａ)は光ディスクの第一変形例、(ｂ)は光ディスクの第二変形例、(ｃ)は光ディスクの第三変形例、(ｄ)は光ディスクの第四変形例を示している。
【図５】  (ａ)は光ディスクの第五変形例、(ｂ)と(ｃ)は光ディスクの第六変形例を示している。
【図６】本発明の第二実施形態における光ディスクの断面を示している。
【符号の説明】
１  ディスク
２  ベース層
３  記録層
４ａ,４ｂ,４ｃ  記録面
５  ガイド面
６  トラック
７ａ,７ｂ,７ｃ  基準面
【図１】
0004112124.tif 000002
【図２】
0004112124.tif 000003
【図３】
0004112124.tif 000004
【図４】
0004112124.tif 000005
【図５】
0004112124.tif 000006
【図６】
0004112124.tif 000007